(57)【要約】【課題】放熱対象に設置されて該放熱対象から熱を吸収する放熱装置であって、且つ放熱効率を更に高めた放熱装置の提供。【解決手段】冷媒の循環回路を有する放熱装置であって、前記循環回路は、直管形に形成された上下一対の冷媒タンクと、前記上下一対の冷媒タンクを直接に連通していると共に、上下方向において斜めに延伸する複数の放熱配管及び該複数の放熱配管に取り付けられている複数の放熱フィンとからなる熱交換ユニットと、前記上下一対の冷媒タンクにおいて、上方に配置されている上冷媒タンクから下方に配置されている下冷媒タンクまで延伸して該２つの冷媒タンクを連通させると共に、少なくとも一部分が上下方向において斜めに延伸している吸熱配管と、により構成されていることを特徴とする放熱装置を提供する。【選択図】図３
0003169368.tif 000002
【実用新案登録請求の範囲】
【請求項１】
冷媒の循環回路を有する放熱装置であって、
前記循環回路は、
直管形に形成された上下一対の冷媒タンクと、
前記上下一対の冷媒タンクを直接連通していると共に、上下方向において斜めに延伸している複数の放熱配管及び該複数の放熱配管に取り付けられている複数の放熱フィンからなる熱交換ユニットと、
前記上下一対の冷媒タンク間において、上方に配置されている上冷媒タンクから下方に配置されている下冷媒タンクまで延伸して該２つの冷媒タンクを連通させていると共に、少なくとも一部分が上下方向に斜めに延伸している吸熱配管と、により構成されていることを特徴とする放熱装置。
【請求項２】
前記上冷媒タンクは、上端が前記下冷媒タンク側へ傾くように斜めに配置されていることを特徴とする請求項１に記載の放熱装置。
【請求項３】
前記吸熱配管を複数有し、各吸熱配管は上下方向に沿って並ぶように配置されていると共に、各吸熱配管の少なくとも一部が細長い中空断面を有していて、外表面に放熱対象に接触させることができる吸熱面が形成されていることを特徴とする請求項２に記載の放熱装置。
【請求項４】
各前記吸熱配管はそれぞれ互いに連通している第１の管部と第２の管部とを有しており、
各第１の管部は前記上冷媒タンクと連通し、且つ上下方向に斜めに延伸しており、
各第２の管部は前記下冷媒タンクと連通し、水平方向に沿って延伸していると共に、細長い中空断面を有していて外表面に放熱対象に接触させることができる吸熱面が形成されていることを特徴とする請求項２または請求項３に記載の放熱装置。
【請求項５】
各前記吸熱配管はそれぞれ互いに連通している第１の管部と第２の管部と第３の管部とを有しており、
各第１の管部は、その一端が前記上冷媒タンクと連通し、且つ上下方向において斜めに延伸しており、
各第２の管部は、その一端が前記下冷媒タンクと連通し、水平面において前記第１の管部と平行するように水平方向に沿って延伸していると共に、細長い中空断面を有していて外表面に放熱対象に接触させることができる吸熱面が形成されており、
各第３の管部は、両端がそれぞれ前記第１の管部の他端と前記第２の管部の他端と連通していることを特徴とする請求項３に記載の放熱装置。
【請求項６】
各前記吸熱配管はそれぞれ互いに連通している第１の管部と第２の管部と第３の管部とを有しており、
各第１の管部は、その一端が前記上冷媒タンクと連通し、且つ上下方向において斜めに延伸しており、
各第２の管部は、その一端が前記下冷媒タンクと連通し、水平方向に沿って、前記上冷媒タンクから離れる方向へ延伸しており、
各第３の管部は、前記第１の管部の他端から前記下冷媒タンクの近傍を通過するように水平に延伸した後、折り返えされて前記第２の管部の他端に接続していると共に、細長い中空断面を有していて外表面に放熱対象に接触させることができる吸熱面が形成されていることを特徴とする請求項３に記載の放熱装置。
【請求項７】
各前記吸熱配管の前記第１、第２、第３の管部は、何れも細長い中空断面を有しており、
また、前記第２の管部の前記第３の管部に向かう側と反対側の外表面には、複数の放熱フィンが突出するように設置されており、
該複数の放熱フィンの隣りに放熱ファンが更に設置されていることを特徴とする請求項５または請求項６に記載の放熱装置。
【考案の詳細な説明】
【技術分野】
【０００１】
本考案は放熱装置に関し、特に、放熱対象に設置されて該放熱対象の発熱を吸収して発散させる放熱装置に関する。
【背景技術】
【０００２】
図１に示されるのは、特許文献１により開示された従来の放熱装置の一例の斜視図である。
【０００３】
図示されているように、該放熱装置は、直管形に形成されていて垂直に配置されている一対の冷媒タンク１０と、前記一対の冷媒タンク１０の間に配置されて該一対の冷媒タンク１０を直接連通していると共に、水平に延伸している複数の放熱配管１１及び該複数の放熱配管１１に取り付けられている複数の放熱フィン１２からなる熱交換ユニットと、前記熱交換ユニットの一方側において該熱交換ユニットが有する複数の放熱配管１１と平行するように延伸し、両端がそれぞれ折れ曲がって前記一対の冷媒タンク１０のうちのいずれか一方と連通していると共に、前記熱交換ユニット側と反対側の外表面が、放熱対象１００と接触する吸熱面２０とされている吸熱配管２１と、を有する。これにより、通常決まった流れ方向を有しない冷媒を案内することができる循環回路２を構成している。
【０００４】
しかしながら、この従来の放熱装置では、冷媒の循環回路２の大半を占める放熱配管１１及び吸熱配管２１が全て水平に延伸しており、放熱対象１００から熱を吸収して気化した冷媒が上昇できる場所は冷媒タンク１０しかなく、冷媒の流れを案内する構成も足りない。
【先行技術文献】
【特許文献】
【０００５】
【特許文献１】台湾新型特許第Ｍ３７９７４８号明細書
【考案の概要】
【考案が解決しようとする課題】
【０００６】
上記問題点に鑑みて、本考案は、冷媒の流れをスムーズに案内することにより放熱効率を更に高めた放熱装置の提供を目的とする。
【課題を解決するための手段】
【０００７】
上記目的を達成すべく、本考案は、冷媒の循環回路を有する放熱装置であって、前記循環回路は、直管形に形成された上下一対の冷媒タンクと、前記上下一対の冷媒タンクを直接連通していると共に、上下方向に斜めに延伸している複数の放熱配管及び該複数の放熱配管に取り付けられている複数の放熱フィンからなる熱交換ユニットと、前記上下一対の冷媒タンク間において、上方に配置されている上冷媒タンクから下方に配置されている下冷媒タンクまで延伸して該２つの冷媒タンクを連通させていると共に、少なくとも一部分が上下方向に斜めに延伸している吸熱配管と、により構成されていることを特徴とする放熱装置を提供する。
【０００８】
上記放熱装置において、前記下冷媒タンクは垂直方向に沿って延伸するように配置されており、前記上冷媒タンクは、上端が前記下冷媒タンク側へ傾くように斜めに配置されていることが好ましい。
【０００９】
上記放熱装置において、前記吸熱配管を複数有し、各吸熱配管は上下方向に沿って並ぶように配置されていると共に、各吸熱配管の少なくとも一部が細長い中空断面を有していて外表面に放熱対象に接触させることができる吸熱面が形成されていることが好ましい。
【００１０】
上記放熱装置は、各前記吸熱配管はそれぞれ互いに連通している第１の管部と第２の管部とを有しており、各第１の管部は前記上冷媒タンクと連通し、且つ、上下方向において斜めに延伸しており、各第２の管部は前記下冷媒タンクと連通し、水平方向に沿って延伸していると共に、細長い中空断面を有していて外表面に放熱対象に接触させることができる吸熱面が形成されるように構成することができる。
【００１１】
上記放熱装置は、各前記吸熱配管はそれぞれ互いに連通している第１の管部と第２の管部と第３の管部を有しており、各第１の管部は、その一端が前記上冷媒タンクと連通し、且つ上下方向において斜めに延伸しており、各第２の管部は、その一端が前記下冷媒タンクと連通し、水平面において前記第１の管部と平行するように水平方向に沿って延伸していると共に、細長い中空断面を有していて外表面に放熱対象に接触させることができる吸熱面が形成されており、各第３の管部は、両端がそれぞれ前記第１の管部の他端と前記第２の管部の他端と連通しているように構成することもできる。
【００１２】
また、上記放熱装置は、各前記吸熱配管はそれぞれ互いに連通している第１の管部と第２の管部と第３の管部を有しており、各第１の管部は、その一端が前記上冷媒タンクと連通し、上下方向において斜めに延伸しており、各第２の管部は、その一端が前記下冷媒タンクと連通し、水平方向に沿って前記上冷媒タンクから離れる方向へ延伸しており、各第３の管部は、前記第１の管部の他端から前記下冷媒タンクの近傍を通過するように水平に延伸した後、折り返えされて前記第２の管部の他端に接続していると共に、細長い中空断面を有していて外表面に放熱対象に接触させることができる吸熱面が形成されるように構成することもできる。
【００１３】
上記放熱装置は、各前記吸熱配管の前記第１、第２、第３の管部が、何れも細長い中空断面を有しており、また、前記第２の管部の前記第３の管部に向かう側と反対側の外表面には、複数の放熱フィンが突出するように設置されており、該複数の放熱フィンの隣りに放熱ファンが更に設置されるように構成することが好ましい。
【考案の効果】
【００１４】
上記構成により、本考案の放熱装置は、熱交換ユニットにおける複数の放熱配管及び吸熱配管の少なくとも一部分を上下方向に斜めに延伸するように構成することにより、冷媒の流れ方向を案内して従来よりも放熱効率を高めた放熱装置を提供することができる。
【図面の簡単な説明】
【００１５】
【図１】従来の放熱装置の一例が示されている斜視図である。
【図２】本考案の放熱装置の第１の好ましい実施形態の上面図である。
【図３】本考案の放熱装置の第１の好ましい実施形態の正面図である。
【図４】本考案の放熱装置の第１の好ましい実施形態の背面図である。
【図５】本考案の放熱装置の第２の好ましい実施形態の上面図である。
【図６】本考案の放熱装置の第３の好ましい実施形態の上面図である。
【図７】本考案の放熱装置の第４の好ましい実施形態の上面図である。
【考案を実施するための形態】
【００１６】
以下は各図面を参照しながら、本考案の各好ましい実施形態について詳しく説明する。
【００１７】
図２〜図４は本考案の放熱装置の第１の好ましい実施形態の構成が示されており、図２はその上面図であり、図３はその正面図であり、図４は背面図である。
【００１８】
図示されているように、本考案の放熱装置３は、上下一対の冷媒タンク３１ａ、３１ｂと、この上下一対の冷媒タンク３１ａ、３１ｂを直接に連通している熱交換ユニット３２と、上方に配置されている上冷媒タンク３１ａから下方に配置されている下冷媒タンク３１ｂまで延伸して該２つの冷媒タンク３１ａ、３１ｂを連通させる複数の吸熱配管３３とにより構成されている冷媒の循環回路を有している。
【００１９】
上冷媒タンク３１ａは、上端が下冷媒タンク３１ｂ側へ傾くように斜めに配置されている。
【００２０】
熱交換ユニット３２は、上下方向に斜めに延伸している複数の放熱配管３２１と該複数の放熱配管３２１に取り付けられている複数の放熱フィン３２２とを備えている。
【００２１】
各吸熱配管３３は、上下方向に沿って並ぶように配置されていると共に、細長い中空断面を有していて、外表面に放熱対象に接触させる（張り付く）ことができる吸熱面３３４が形成されており、上下一対の冷媒タンク３１ａ、３１ｂの位置関係に対応して、一部分が上下方向に斜めに延伸するように形成されている。
【００２２】
この第１の実施形態において、各吸熱配管３３は、それぞれ互いに連通している第１の管部３３１と第２の管部３３２とを有している。各第１の管部３３１は、上冷媒タンク３１ａと連通し、且つ上下方向に斜めに延伸している。各第２の管部３３２は、下冷媒タンク３１ｂと連通し、水平方向に沿って延伸していると共に、その外表面を主な吸熱面３３４とするように配置構成されている。
【００２３】
この構成により、本考案の放熱装置３は、熱交換ユニット３２における複数の放熱配管３２１及び吸熱配管３３における第１の管部３３１を上下方向に斜めに延伸するように構成したことにより、吸熱配管３３の第２の管部３３２内の熱を吸収して気化した冷媒は、図中の循環する矢印が示しているように、下冷媒タンク３１ｂを経由して熱交換ユニット３２に進入し、各放熱配管３２１に沿って上昇しながら複数の放熱フィン３２２と熱交換を行うことによって凝縮されて上冷媒タンク３１ａに進入するように案内されるようになる。そして、液体に戻った冷媒が第１の管部３３１を経由して再び第２の管部３３２に流れ込んで熱を吸収するように、冷媒の流れ方向を案内し、従来よりも高い放熱効率を実現することができる。
【００２４】
図５は本考案の放熱装置の第２の好ましい実施形態の上面図である。図示されているように、本考案の放熱装置の第２の好ましい実施形態は第１の実施形態と類似している構成を有するため、以下ではその相違点、即ち吸熱配管３３の形状だけについて説明する。
【００２５】
図示されているように、本考案の放熱装置の第２の好ましい実施形態は、その各吸熱配管３３の形状が、それぞれ互いに連通している第１の管部３３１と第２の管部３３２と第３の管部３３３とからなる。
【００２６】
各第１の管部３３１は、その一端が上冷媒タンク３１ａと連通し、且つ上下方向にて斜めに延伸している。
【００２７】
各第２の管部３３２は、その一端が下冷媒タンク３１ｂと連通し、その水平面への投影図において、第１の管部３３１と平行するように水平方向に沿って延伸していると共に、外表面に放熱対象に接触させることができる吸熱面３３４が形成されている。
【００２８】
各第３の管部３３３は、両端がそれぞれ第１の管部３３１の他端と第２の管部３３２の他端とに連通していると共に、その外表面は各第２の管部３３２と同じように、放熱対象に接触して吸熱面３３４として利用されることができる。
【００２９】
このように、本考案の放熱装置のこの第２の好ましい実施形態における各吸熱配管３３は、水平面への投影図において、略Ｕ字形になるように形成されるので、２つの吸熱面３３４を有し、該２つの吸熱面３３４で２つの放熱対象に接触して放熱させることが可能であり、第１の実施形態と同等な放熱効果を提供することができる。
【００３０】
図６は本考案の放熱装置の第３の好ましい実施形態の上面図である。図示されているように、本考案の放熱装置の第３の好ましい実施形態は第１の実施形態と類似している構成を有するため、以下ではその相違点、即ち吸熱配管３３の形状だけについて説明する。
【００３１】
図示されているように、本考案の放熱装置の第３の好ましい実施形態は、その吸熱配管３３の形状が、それぞれ互いに連通している第１の管部３３１と第２の管部３３２と第３の管部３３３とからなる。
【００３２】
各第１の管部３３１は、その一端が上冷媒タンク３１ａと連通し、且つ上下方向に斜めに延伸している。
【００３３】
各第２の管部３３２は、その一端が下冷媒タンク３１ｂと連通し、水平方向に沿って前記上冷媒タンク３１ａから離れる方向へ延伸している。
【００３４】
各第３の管部３３３は、第１の管部３３１の他端から曲がってから下冷媒タンク３１ｂの近傍を通過するように水平に延伸した後、折り返えされて第２の管部３３２の他端に接続していると共に、細長い中空断面を有していて外表面に放熱対象に接触させることができる吸熱面３３４が形成されている。
【００３５】
また、この第３の好ましい実施形態において、第２の管部３３２の外表面も放熱対象に接触して吸熱面３３４として利用されることができる。
【００３６】
このように、本考案の放熱装置の第３の好ましい実施形態は、第２の好ましい実施形態と同じく２つの吸熱面３３４を有し、該２つの吸熱面３３４で２つの放熱対象に接触されて放熱させることが可能でありながら、位置関係が異なる放熱対象に対応することができる。つまり、本考案の放熱装置は、放熱させようとする放熱対象の位置関係に応じて、自由自在に吸熱配管３３の形状を変えることができることを意味している。
【００３７】
図７は本考案の放熱装置の第４の好ましい実施形態の上面図である。図示されているように、本考案の放熱装置の第４の好ましい実施形態は第３の実施形態と類似している構成を有するため、以下ではその相違点、即ち追加された放熱フィン３４及び放熱ファン３５だけについて説明する。
【００３８】
図示のように、この実施形態において各吸熱配管３３における第２の管部３３２の第３の管部３３３に向かう側と反対側の外表面には、複数の放熱フィン３４が突出するように設置されていると共に、該複数の放熱フィン３４の隣りに放熱ファン３５が更に設置されている。図７に示されている位置関係からも解るように、放熱ファン３５の空気の流れを促進する効果は、熱交換ユニット３２にも及んでおり、放熱フィン３４と放熱フィン３２２の周辺で加熱された空気を素早く排除することによって、本考案の放熱装置の放熱効率を更に高めることができる。
【００３９】
ちなみに、放熱フィン３４や放熱ファン３５の位置については図示に限らず、必要に応じて適切な位置に設置することは無論可能である。
【産業上の利用可能性】
【００４０】
上記構成により、本考案の放熱装置は、熱交換ユニットにおける複数の放熱配管及び吸熱配管の少なくとも一部分を上下方向に斜めに延伸するように構成することにより、冷媒の流れ方向を案内して放熱する効率を更に高めた放熱装置を提供することができる。
【符号の説明】
【００４１】
３  放熱装置
３１  冷媒タンク
３１ａ  上冷媒タンク
３１ｂ  下冷媒タンク
３２  熱交換ユニット
３２１  放熱配管
３２２  放熱フィン
３３  吸熱配管
３３１  第１の管部
３３２  第２の管部
３３３  第３の管部
３３４  吸熱面
３４  放熱フィン
３５  放熱ファン
【図１】
0003169368.tif 000003
【図２】
0003169368.tif 000004
【図３】
0003169368.tif 000005
【図４】
0003169368.tif 000006
【図５】
0003169368.tif 000007
【図６】
0003169368.tif 000008
【図７】
0003169368.tif 000009